(57)【要約】      （修正有）【課題】商用電源からの電力の供給が停止している場合に、外部より簡単に電力の供給を受けて洗浄水をボウルに供給することができる便器装置を提供する。【解決手段】便器装置１０は、排水口を有するボウルと、商用電源から電力の供給を受けて、ボウルに対する洗浄水の供給動作をなす洗浄水供給部とを備えており、携帯型充電器８を接続可能としたコネクタ接続部３１をさらに備えた構成とされ、携帯型充電器８をコネクタ接続部３１に接続しているときに、携帯型充電器８から洗浄水供給部への電力供給を可能とした構成とされている。【選択図】図１
2020190144.tif 000002
【特許請求の範囲】
【請求項１】
排水口を有するボウルと、商用電源から電力の供給を受けて、前記ボウルに対する洗浄水の供給動作をなす洗浄水供給部とを備えた便器装置において、
携帯型充電器を接続可能としたコネクタ接続部をさらに備えた構成とされ、
前記携帯型充電器を前記コネクタ接続部に接続しているときに、該携帯型充電器から前記洗浄水供給部への電力供給を可能としたことを特徴とする便器装置。
【請求項２】
請求項１において、
前記ボウルの前記排水口に連通接続される筒状のトラップと、該トラップを封水姿勢と排水姿勢とに切り替えできるように駆動するトラップ駆動部とをさらに備えており、
前記携帯型充電器は、前記コネクタ接続部を介して、前記トラップ駆動部にも電力の供給を可能としたことを特徴とする便器装置。
【請求項３】
請求項１または２において、
前記コネクタ接続部がＵＳＢコネクタに対応した差込口を備えていることを特徴とする便器装置。
【発明の詳細な説明】
【技術分野】
【０００１】
本発明は、電力の供給を受けてボウルに対する洗浄水の供給動作をなす洗浄水供給部を備えた便器装置に関する。
【背景技術】
【０００２】
従来には、この種の便器装置として、停電など、商用電源からの電力の供給が停止している場合に、洗浄水供給部がバックアップ電源用として内装された乾電池から電力の供給を受けて洗浄水の供給動作をなすものが提案されている（例えば、特許文献１参照）。
【先行技術文献】
【特許文献】
【０００３】
【特許文献１】特開２０１４−１８９９９７号公報
【発明の概要】
【発明が解決しようとする課題】
【０００４】
しかしながら、この種のバックアップ電源用の乾電池は、便器装置に常時接続されていなかったり、接続されていても自然放電していたりすることがある。その場合に予備の乾電池がなければ当然に、洗浄水供給部を動作させることはできない。特に、この種の目的として用いられる乾電池は、停電の発生頻度が低いため、乾電池が自然放電して利用が制限される場合が多い。
【０００５】
本発明は、このような事情を考慮して提案されたもので、その目的は、商用電源からの電力の供給が停止している場合に、乾電池によることなく、外部より簡単に電力の供給を受けて洗浄水をボウルに供給することができる便器装置を提供することにある。
【課題を解決するための手段】
【０００６】
上記目的を達成するために、本発明の便器装置は、排水口を有するボウルと、商用電源から電力の供給を受けて、前記ボウルに対する洗浄水の供給動作をなす洗浄水供給部とを備えた便器装置において、携帯型充電器を接続可能としたコネクタ接続部をさらに備えた構成とされ、前記携帯型充電器を前記コネクタ接続部に接続しているときに、該携帯型充電器から前記洗浄水供給部への電力供給を可能としたことを特徴とする。
【発明の効果】
【０００７】
本発明の便器装置は上述した構成とされているため、商用電源からの電力の供給が停止している場合でも、外部より簡単に電力の供給を受けて洗浄水をボウルに供給することができる。
【図面の簡単な説明】
【０００８】
【図１】本発明に係る便器装置の説明図である。（ａ）は便器装置の概略斜視図、（ｂ）は携帯型充電器のコネクタ接続部への接続関係を示した模式図である。
【図２】便器装置の縦断面図である。
【図３】便器装置の電気系の基本構成を示す要部ブロック図である。
【発明を実施するための形態】
【０００９】
以下に、本発明の実施の形態について、添付図面を参照しながら説明する。なお、以下では、便器装置１０を基準として、前後、上下等の方向を規定して説明する。
まず、本実施形態に係る便器装置１０の基本構成について記述する。
【００１０】
本便器装置１０は、排水口１１ａを有するボウル１１と、商用電源７から電力の供給を受けて、ボウル１１に対する洗浄水の供給動作をなす洗浄水供給部２０とを備えた便器装置１０である。本便器装置１０は、携帯型充電器８を接続可能としたコネクタ接続部３１をさらに備えた構成とされ、この携帯型充電器８をコネクタ接続部３１に接続しているときに、携帯型充電器８から洗浄水供給部２０への電力供給を可能としている。
【００１１】
以下、本便器装置１０について、図１〜図３を参照しながら詳述する。
【００１２】
本便器装置１０は、図１〜図３に示すように、ボウル１１と、ボウル１１の全周に配された周壁１３と、便座１４と、便蓋１５（図１（ａ）では図示省略）と、便座１４の回動軸１４ａの後ろ側に配された本体後部室１６とを備えている。便座１４および便蓋１５は、回動により開閉自在とされている。また、ボウル１１の上端にはリム部１８が形成されている。
【００１３】
図２に示すように、便器装置１０はさらに、周壁１３に囲まれた内部に、ボウル１１の排水口１１ａに連通接続される筒状のトラップ１２を備えている。このトラップ１２は機械動作型であり、トラップ室１７内で、封水姿勢（上位置）と排水姿勢（下位置）とに切り替える回動動作をなす構成とされている。トラップ室１７内では、床面３に開設された開口に、トラップ１２の排出口１２ａから排出される排水を流し込む排水管５が接続されている。
【００１４】
図２に示すように、トラップ１２はモータなどによるトラップ駆動部１２ｃ（図３（ａ）参照）により、封水姿勢と排水姿勢とをすくなくとも含む位置への回動上下移動がなされる。ボウル１１に溜め水を保持する場合の封水姿勢では、トラップ１２は開放端１２ａの排出口１２ｂが上を向く上位置にあり、排水姿勢では、トラップ１２は開放端１２ａの排出口１２ｂが下を向く下位置にある。
【００１５】
また、本便器装置１０の洗浄水供給部２０は、図２に示すように、水道の給水管１に接続され、ボウル１１に洗浄水を供給する洗浄水供給路２１と、給水を供給または遮断する電磁弁２２とをすくなくとも備えている。洗浄水供給路２１はボウル１１の内面に設けた給水口２１ａに通じている。給水管１より流れてくる洗浄水は、給水口２１ａより、リム部１８の裏面でかつボウル部１１内面の上部に沿うように吐水され、ボウル部１１の底部に向けて流れるようになっている。
【００１６】
また、図２の符号３５は、薬剤タンク収容部３５ａ（図１（ｂ）参照）、薬剤供給路（不図示）、薬剤投入用の電磁弁（不図示）などを備えた薬剤投入部３５である。なお、便器装置１０は、このような水道直結型のものに限らず、タンク式のものにも適用が可能である。
【００１７】
便器装置１０は、電気的な信号により、ボウル１１への洗浄水の供給と、ボウル１１から排水管５への排水とがなされる構成とされている。そのために、本便器装置１０は、図３に示すように、制御部２５と、電磁弁２２を有した洗浄水供給部２０と、トラップ駆動部１２ｃを有した排水部１２Ａとを備え、制御部２５が、これらを制御する構成としている。制御部２５は、ＣＰＵなどより構成され、洗浄水供給部２０に対し電磁弁２２の開閉指令を出力し、また、排水部１２Ａに対しトラップ駆動部１２ｃによるトラップ１２に対する動作指令を出力する。
【００１８】
便器装置１０は、図３に示すように、これらの電気的動作をさせるために、商用電源７からの電力を受ける電源部３０を備え、さらに、停電など商用電源７からの電力の供給が停止している場合のバックアップ電源用の内部電源として電池部３２を備えている。
【００１９】
また、本便器装置１０は、図３に示すように、商用電源７からの電力の供給が停止している場合のバックアップ電源として携帯型充電器８を利用して電力を供給されるようになっている。そのために便器装置１０は、携帯型充電器８を接続するコネクタ接続部３１を備えている。
【００２０】
このコネクタ接続部３１は、図１（ｂ）に示すように、携帯型充電器８から導出されたコネクタ８ａを接続するための差込口３１ａと、それに関する回路などを備えている。このコネクタ接続部３１は、差込口３１ａにコネクタ８ａが接続されているときに、携帯型充電器８から電力を受けて、上記各部に電力を供給する構成とされている。
【００２１】
このコネクタ接続部３１の差込口３１ａは、本実施形態では、本体後部室１６（図１（ａ）（ｂ）参照）に配されている。本体後部室１６は、カバー（不図示）で開閉でき、コネクタ接続部３１の差込口３１ａのほかに、薬剤投入部３５の薬剤タンク収容部３５ａ、電池部３２の電池収納部３２ａ、操作部３３などが配されている。
【００２２】
差込口３１ａは、例えばＵＳＢに対応したものが挙げられる。この差込口３１ａには、ＵＳＢコネクタを導出させた、例えばスマートフォンなどのバックアップ電源として利用されるモバイルバッテリーよりなる携帯型充電器８のコネクタ８ａを差し込み接続することができる。
【００２３】
ＵＳＢには種々のタイプがあるため、図１（ｂ）に示すように、複数のタイプのコネクタ８ａに対応した差込口３１ａを設けてもよい。また、その他種々の規格のコネクタに対応した差込口を備えてもよい。
【００２４】
このようにコネクタ接続部３１がＵＳＢに対応していれば、近時多く用いられているスマートフォンのモバイルバッテリーを携帯型充電器８として用いることができ、利便性が高い。
【００２５】
なお、ノートパソコンやスマートフォン、タブレット端末を携帯型充電器８として、これらからＵＳＢコネクタ、差込口３１ａを介して便器装置１０へ電力の供給は可能である。ただし、これらは小出力電流であるため、接続してすぐに洗浄水供給部２０や排水部１２Ａを動作させることはできない。そのため、便器装置１０に充電部を設けて、そこに電力を供給するようにしてもよい。このように構成すれば、モバイルバッテリーがない場合でも、ある程度時間をかければボウル１１の洗浄が可能となる。
【００２６】
また、電池部３２の電池収納部３２ａは乾電池を収納できるようになっており、電池部３２は、商用電源７からの電力の供給が停止している場合に、収納された乾電池から、洗浄水供給部２０および排水部１２Ａに電力を供給する構成とされている。
【００２７】
携帯型充電器８や乾電池によるボウル１１の洗浄動作は、通常の洗浄操作あるいは操作部３３に設けた操作ボタンの操作でなされるようにすればよい。例えば、携帯型充電器洗浄操作部、電池洗浄操作部を設けてもよい。
【００２８】
以上のように、本便器装置１０は、バックアップ電源として、乾電池に加え、携帯型充電器８によっても電力の供給を受けることができる。そのため、停電時などに乾電池がない場合でも、携帯型充電器８をトイレ室に持ち込んで差込口３１ａに接続すれば、ボウル１１の洗浄を行うことができる。このようにして、便器装置１０に二重のバックアップ電源構成を形成することができる。
【００２９】
また、本実施形態の便器装置１０、機械動作型のトラップ１２を駆動するトラップ駆動部１２ｃにも携帯型充電器８から電力を供給することができる。すなわち、非常時には、トラップ１２の動作にもとづく排水と、ボウル１１への給水との両方を、携帯型充電器８からの電力供給で動作させることができる。
【００３０】
以上の実施形態は、携帯型充電器８と乾電池の双方から電力を供給可能とした例であるが、乾電池用の電池部３２は設けず、携帯型充電器８と商用電源７のみから電力を供給して動作する便器装置にも適用が可能である。
【００３１】
また、以上の実施形態は、機械動作型のトラップ１２を備えた便器装置１０を対象とした例であるが、固定型のトラップを備えた便器装置にも適用が可能である。その場合には、トラップ駆動部１２ｃを必要としないため、携帯型充電器８からは、すくなくとも洗浄水供給部２０（電磁弁２２）に電力を供給する構成とすればよい。
【００３２】
以上に示したコネクタ接続部３１は、薬剤投入部３５の薬剤供給用の電磁弁にも電力を供給する構成とされる。また、その他電力を必要とする、便器装置１０に併設された局部洗浄装置（不図示）や、便座暖房用のヒータ部（不図示）にも電力を供給できるようにしてもよい。
【００３３】
また、コネクタ接続部３１の差込口３１ａは本体後部室１６に設けられなくてもよく、便器装置１０の他の部位に設けられてもよい。
【符号の説明】
【００３４】
８          携帯型充電器
１０        便器装置
１１        ボウル
１１ａ      排水口
１２        トラップ
１２ｂ      排出口
１２ｃ      トラップ駆動部
２０        洗浄水供給部
３１        コネクタ接続部
３１ａ      差込口
【図１】
2020190144.tif 000003
【図２】
2020190144.tif 000004
【図３】
2020190144.tif 000005